(57)【要約】【課題】部品点数が少なく、リード部にて弾性接続した電子部品等の脱落を防止し、電気接触信頼性に優れた接続ターミナルの提供を目的とする。【解決手段】電子部品のリード部と電気接続するため導電性を有する弾性接触片とリード抜け防止のためのストッパーからなる接続ターミナルであって、ストッパーは挿入部と抜去防止端部及び、当該挿入部と抜去防止端部を支持するアーム片からなり、挿入部は、リード部の挿入に伴って、その進行を妨げないように、アーム片の弾性変形によってストッパーを退避させ、抜去防止端部は、リード部が弾性接触片の所定の位置まで挿入された後に、アーム片を弾性によってストッパーの位置が復帰することに伴って、リード部を係止する位置に移動することを特徴とする。【選択図】  図１
2010225446.tif 000002
【特許請求の範囲】
【請求項１】
電子部品のリード部と電気接続するため導電性を有する弾性接触片とリード抜け防止のためのストッパーからなる接続ターミナルであって、
ストッパーは挿入部と抜去防止端部及び、当該挿入部と抜去防止端部を支持するアーム片からなり、
挿入部は、リード部の挿入に伴って、その進行を妨げないように、アーム片の弾性変形によってストッパーを退避させ、
抜去防止端部は、リード部が弾性接触片の所定の位置まで挿入された後に、アーム片を弾性によってストッパーの位置が復帰することに伴って、リード部を係止する位置に移動することを特徴とする接続ターミナル。
【請求項２】
挿入部は、リード部挿入方向に向かって徐々に狭くなる斜面であることを特徴とする請求項１記載の接続ターミナル。
【請求項３】
弾性接触片とストッパーとアーム片が一枚の金属板から形成されていることを特徴とする請求項１又は２記載の接続ターミナル。
【請求項４】
電子部品のリード部と電気接続するための導電性を有する弾性接触片と、リード抜け防止のためのストッパー及び、前記弾性接触片を支持するための弾性変形部からなる接続ターミナルであって、
ストッパーは、挿入部と抜去防止端部及び、当該挿入部と抜去防止端部を支持するアーム片からなり、
挿入部は、リード部の挿入に伴って、その進行を妨げないように、アーム片の弾性変形によってストッパーを退避させ、
抜去防止端部は、リード部が弾性接触片の所定の位置まで挿入された後に、アーム片の弾性によってストッパーの位置が復帰することに伴って、リード部を係止する位置に移動し、
弾性変形部は、リード部の変位または変形に弾性接触片が追随するように弾性変形することを特徴とする接続ターミナル。
【発明の詳細な説明】
【技術分野】
【０００１】
本発明は、蛍光管の電極リード部等、電子部品のリード部の電気接続に用いるターミナルに関する。
【背景技術】
【０００２】
電気部品、電子部品には電気接続するためのリード部が設けられている。
例えば、液晶テレビ等に用いられている液晶表示装置には、バックライト用に不活性ガスを封入した細長いガラス管からなる冷陰極蛍光管が用いられ、ガラス管の両端の不活性ガス封止部からリード部を突出させてあり、このリード部をターミナルに挿入することで電気接続する。
従来のターミナル構造は図６に示すように、金属製の板材を用いてベース部１１１から一対の弾性接触片１１２ａ，１１２ｂを対向立設し、上部から蛍光管１のリード部１ａを挿入するものであった。
しかし、このようなターミナル構造では、ターミナルや電子部品等に振動や衝撃が加わると、電子部品がターミナルから脱落する恐れがあり、電気接触の信頼性に問題があった。
なお、特許文献１や市販されているものの中には脱落防止のための樹脂製のカバー部材等を別部分として取り付けるものも存在するが部分点数が増加し、コストアップの要因となり、また、バックライト装置の組付け工数増大の要因ともなる。
【先行技術文献】
【特許文献】
【０００３】
【特許文献１】特開２００７−１６５２０８号公報
【発明の概要】
【発明が解決しようとする課題】
【０００４】
本発明は部品点数が少なく、リード部にて弾性接続した電子部品等の脱落を防止し、電気接触信頼性に優れた接続ターミナルの提供を目的とする。
【課題を解決するための手段】
【０００５】
本発明に係る接続ターミナルは、電子部品のリード部と電気接続するため導電性を有する弾性接触片とリード抜け防止のためのストッパーからなる接続ターミナルであって、ストッパーは挿入部と抜去防止端部及び、当該挿入部と抜去防止端部を支持するアーム片からなり、挿入部は、リード部の挿入に伴って、その進行を妨げないように、アーム片の弾性変形によってストッパーを退避させ、抜去防止端部は、リード部が弾性接触片の所定の位置まで挿入された後に、アーム片を弾性によってストッパーの位置が復帰することに伴って、リード部を係止する位置に移動することを特徴とする。
ここで、挿入部は、リード部挿入方向に向かって徐々に狭くなる斜面であってもよい。
また、弾性接触片とストッパーとアーム片が一枚の金属板から形成することも可能である。
【０００６】
第２に本発明に係る接続ターミナルは、電子部品のリード部と電気接続するための導電性を有する弾性接触片と、リード抜け防止のためのストッパー及び、前記弾性接触片を支持するための弾性変形部からなる接続ターミナルであって、ストッパーは、挿入部と抜去防止端部及び、当該挿入部と抜去防止端部を支持するアーム片からなり、挿入部は、リード部の挿入に伴って、その進行を妨げないように、アーム片の弾性変形によってストッパーを退避させ、抜去防止端部は、リード部が弾性接触片の所定の位置まで挿入された後に、アーム片の弾性によってストッパーの位置が復帰することに伴って、リード部を係止する位置に移動し、弾性変形部は、リード部の変位または変形に弾性接触片が追随するように弾性変形することを特徴とする。
【発明の効果】
【０００７】
本発明に係る接続ターミナルにあっては、一枚の金属板を用いて打ち抜き及び折り曲げて一体的に製作することも可能であり、弾性接触片とリード部の抜け防止用ストッパーを一体的に形成すると、部品点数が少なく、且つ、ストッパーにて電子部品のリード部がターミナルから脱落するのを防止し、電気接点部の接触信頼性が向上する。
【０００８】
ストッパーは、挿入部と抜去防止端部をアーム片に支持させたので、電子部品のリード部を挿入部に向けて押し込むだけで、アーム片の弾性変形にて一旦、ストッパーが退避し、その後に抜去防止端部の位置が元に復帰し、リード部を係止するため接続作用が容易であり、電気接続の信頼性が向上する。
また、弾性接触片を弾性変形部にて支持すると、電子部品のリード部変位に伴う弾性接触片の変位を吸収するように弾性変形部が変位する。
【図面の簡単な説明】
【０００９】
【図１】本発明に係る接続ターミナルの外観斜視図を示す。
【図２】接続ターミナルの正面図及び側面図を示す。
【図３】接続ターミナルのＡ−Ａ線断面図及びＢ−Ｂ線断面図を示す。
【図４】ターミナルを連続に設けた例を示し、（ａ）は接続側の表側外観斜視図で、（ｂ）は裏側外観斜視図を示す。
【図５】ターミナルへの蛍光管装着手順を示す。
【図６】従来のターミナル構造例を示す。
【発明を実施するための形態】
【００１０】
本発明は、一枚の金属板を用いて、電気部品、電子部品等のリード部を接続するターミナルの弾性接触片とストッパーとを製作した点に特徴があり、その一形態を以下図面に基づいて説明をする。
本発明に係る接続ターミナル（以下、単にターミナルと称する。）を蛍光管の接続ターミナルを例に示す。
本接続ターミナルは、図４に示すように一枚の金属板をプレス等にて打ち抜き、その後に折り曲げ加工することで複数のターミナル１０を形成することが可能である。
【００１１】
ターミナル１０は図４（ｂ）及び図３（ｂ）に示すように、ベース部１１から蛍光管のリード部軸方向［図３（ｂ）に示した矢印方向］に弾性変形し、蛍光管の点灯による長さ変化を吸収するための弾性変形部１４を立設してある。
この弾性変形部１４は、より弾性変形しやすいように折り返しながら延在させた帯状のアーム形状部１４ａを形成した例になっている。
弾性変形部１４は側面視、逆Ｕ字状に折り返し、ベース部１１の上面に沿って支持部１５を形成し、図３（ａ）に示すように支持部１５の左右両側から弾性接触片１２ａ，１２ｂ一対、対向して立設してある。
一対弾性接触片１２ａ，１２ｂは、図５（ｃ）に示すように蛍光管１のリード部１ａを側部から挟持するものであり、リード部１ａを側部から挿入しやすいように上端は相互に離隔する方向に折り曲げて傾斜面を形成してある。
【００１２】
図３（ａ）に示すように支持部１５の蛍光管側から立設片を立設し、図１に示すように、この立設片１６を平面視で略Ｕ字状に折り曲げて立設側片１６ａを形成してある。
一方の立設側片１６ａから正面の立設片１６にわたって切り欠いてストッパー１３を形成してある。
このように切り欠くと、リード部１ａと直交する方向に延在させたストッパー１３が平面視Ｌ字状のアーム片１３ｃの撓みにより、図５（ｂ）に示すようにリード部１ａの挿入に伴って矢印の方向に弾性変形しやすいようになっている。
ストッパー１３は、リード部１ａを弾性接触片１２ａ，１２ｂの間にリード部の側部から挿入すると、リード部に当接する側の一方の端面に、リード部の挿入部１３ａを有し、この挿入部１３ａはストッパー１３の先端がベース部１１側に下がるような、リード部の挿入方向に向けて狭くなる傾斜面になっている。
これにより、ストッパー１３の挿入部１３ａは、リード部１ａの挿入に伴ってストッパーの先端がリード部から離れる方向に退避する傾斜面となる。
リード部１ａが図５（ｃ）に示すように保持孔１８の位置まで挿入されるとストッパー１３は弾性復帰する。
ストッパー１３が弾性復帰すると、図５（ｃ）に示すようにストッパーの先端に設けた抜去防止端部１３ｂがリード部１ａの上部を横切るように突出するので、ストッパーの抜去防止端部１３ｂにリード部１ａの上部が干渉し、脱落を防止する。
本実施例ではこの抜去防止端部１３ｂが概ね水平な端面になっているが、リード部の抜けを防止するのが目的であり、上部にへこんだ凹部形状等でもよい。
【００１３】
弾性接触片１２ａ，１２ｂを背面側で弾性変形部１４が支持していて、この弾性変形部１４がリード部の軸方向に弾性変形するようになっているので、図１に示すように立設側片１６ａの下部を左右方向外側に折り曲げてスタビライザー１６ｂを形成するとともに、上下にガイド片１７ａ，１７ｂを形成してある。
【符号の説明】
【００１４】
１０      蛍光管接続ターミナル
１１      ベース部
１２ａ，１２ｂ      弾性接触片
１３      ストッパー
１３ａ    挿入部
１３ｂ    抜去防止端部
１３ｃ    アーム片
１４      弾性変形部
１５      支持部
１６      立設片
１６ａ    立設側片
１６ｂ    スタビライザー
１８      保持孔
【図１】
2010225446.tif 000003
【図２】
2010225446.tif 000004
【図３】
2010225446.tif 000005
【図４】
2010225446.tif 000006
【図５】
2010225446.tif 000007
【図６】
2010225446.tif 000008